(57)【要約】【課題】大型モニタのＯＮ／ＯＦＦを適応的に制御する監視制御装置及び監視システムを提供する。【解決手段】実施形態によれば、監視制御装置は、表示部と、表示制御部とを備える。前記表示部は、設備の状態を表示する１以上のモニタで構成されている。前記表示制御部は、前記設備の故障の検出に連動して前記表示部の電源をＯＦＦからＯＮに切り替える設定がなされている場合、前記設備の故障の検出に基づいて、前記モニタの少なくとも１つの電源をＯＦＦからＯＮに切り替えるように制御する。【選択図】図３
2014211762.tif 000002
【特許請求の範囲】
【請求項１】
設備の状態を表示する１以上のモニタで構成された表示部と、
前記設備の故障の検出に連動して前記表示部の電源をＯＦＦからＯＮに切り替える設定がなされている場合、前記設備の故障の検出に基づいて、前記モニタの少なくとも１つの電源をＯＦＦからＯＮに切り替えるように制御する表示制御部と、
を備える監視制御装置。
【請求項２】
前記表示制御部は、前記設備の故障が未確認の重故障に該当すると判断した場合、前記モニタの少なくとも１つの電源をＯＦＦからＯＮに切り替えるように制御し、
前記表示制御部は、前記設備の故障が未確認の重故障に該当しないと判断した場合、前記モニタの少なくとも１つの電源をＯＦＦのまま維持するように制御する、
請求項１記載の監視制御装置。
【請求項３】
前記表示制御部は、前記モニタの少なくとも１つの電源をＯＦＦからＯＮに切り替えた後、電力制御のデマンドを検出した場合、前記モニタの少なくとも１つの電源をＯＦＦにするように制御する、請求項１または２の何れか１項に記載の監視制御装置。
【請求項４】
前記表示制御部は、前記モニタの少なくとも１つの電源をＯＦＦからＯＮに切り替えた後、現在時刻が予め設定された時間帯内にある場合、前記モニタの少なくとも１つの電源をＯＦＦにするように制御する、請求項１から３の何れか１項に記載の監視制御装置。
【請求項５】
前記表示制御部は、前記モニタの少なくとも１つの電源をＯＦＦからＯＮに切り替えた後、所定時間内に新たな故障を検出しない場合、前記モニタの少なくとも１つの電源をＯＮからＯＦＦに切り替えるように制御する、請求項１から４のうちの何れか１項に記載の監視制御装置。
【請求項６】
設備の状態を表示する１以上のモニタで構成された表示部と、
前記設備の故障の検出に連動して前記表示部の電源をＯＦＦからＯＮに切り替える設定がなされている場合、前記設備の故障の検出に基づいて、前記モニタの少なくとも１つの電源をＯＦＦからＯＮに切り替えるように制御する表示制御部と、
を備える監視制御装置と、
前記設定を入力する入力装置と、
を備える表示制御システム。
【発明の詳細な説明】
【技術分野】
【０００１】
本実施形態は、各種建築物付帯の電気・機械設備等を監視制御するための監視制御装置及び表示制御システムに関する。
【背景技術】
【０００２】
従来の監視制御装置では、大型モニタ装置の電源を常時投入状態で運用するか、必要に応じて手動でＯＮ（投入ともいう）／ＯＦＦ（停止ともいう）するか、大型モニタ装置側の省エネ機能により表示データに変化が無い場合に自動的にスリープさせるかの選択肢が主であった。
【先行技術文献】
【特許文献】
【０００３】
【特許文献１】特開２０１２−７９２９２号公報
【発明の概要】
【発明が解決しようとする課題】
【０００４】
しかしながら、大型モニタ装置は、消費電力がモニタサイズにも拠るが３００〜５００Ｗ程度のものが主流であり、複数の大型モニタを並べたマルチ表示の場合、例えば８面マルチだと４０００Ｗの電力を消費するため、常時投入状態で運用した場合には、電力消費が大きく運用コストが嵩むという問題があった。また、大型モニタ装置は、常時投入の場合、モニタ表示形式にも拠るが画面の焼付きや、表示ランプの寿命が早まるという問題もあった。
【０００５】
さらに、大型モニタ装置は、電源を必要に応じて手動でＯＮ／ＯＦＦする運用の場合、監視対象設備の故障警報が検出された際に、大型モニタ装置に直ちに情報が表示されないため、その全体状況を把握するための初動が遅れるという問題があった。
【０００６】
さらに、大型モニタ装置は、電源を大型モニタ装置側の省エネ機能により自動的にスリープにさせる機能での運用の場合、起動とスリープになるタイミングが大型モニタ装置を閲覧したいタイミングと同期しないため、運用上使い難いという問題があった。
【０００７】
本発明は、大型モニタ装置のＯＮ／ＯＦＦを適応的に制御する監視制御装置及び表示制御システムを提供することを目的とする。
【課題を解決するための手段】
【０００８】
実施形態によれば、監視制御装置は、表示部と、表示制御部とを備える。前記表示部は、設備の状態を表示する１以上のモニタで構成されている。前記表示制御部は、前記設備の故障の検出に連動して前記表示部の電源をＯＦＦからＯＮに切り替える設定がなされている場合、前記設備の故障の検出に基づいて、前記モニタの少なくとも１つの電源をＯＦＦからＯＮに切り替えるように制御する。
【図面の簡単な説明】
【０００９】
【図１】実施形態に係る一例となる監視システムの構成図。
【図２】実施形態に係る一例となる監視制御処理サーバの機能ブロック図。
【図３】実施形態に係る一例となる大型モニタＯＮ／ＯＦＦ装置の機能ブロック図。
【図４】実施形態に係る一例となる設定画面図。
【図５】実施形態に係る監視制御装置の作用を示すフローチャート。
【発明を実施するための形態】
【００１０】
以下、本実施形態について図面を参照して説明する。図１は、本実施形態に係る一例となる監視システム１の構成図である。  
監視システム（表示制御システム）１は、監視制御処理サーバ１０、大型モニタ装置（表示部）２０、大型モニタＯＮ／ＯＦＦ装置３０、大型モニタ表示処理装置４０、１以上の監視制御端末５０−１〜５０−ｎ、１以上のＬＣＤ（Ｌｉｑｕｉｄ Ｃｒｙｓｔａｌ Ｄｉｓｐｌａｙ）６０−１〜６０−ｎ、１以上の監視制御子局７０−１〜７０−ｎを備える。本実施形態では、監視制御サーバ１０、大型モニタ装置２０、大型モニタＯＮ／ＯＦＦ装置３０、大型モニタ表示処理装置４０が異なる要素として示されているが、これらの要素が備える機能をまとめて監視制御装置というものとする。なお、監視制御サーバ１０、大型モニタ装置２０、大型モニタＯＮ／ＯＦＦ装置３０、大型モニタ表示処理装置４０は、監視制御装置として１つの要素で構成されていてもよい。監視システム１は、各種建築物付帯の電気・機械設備である１以上の監視制御対象設備８０−１〜８０−ｎを監視制御するためのシステムである。監視制御対象設備８０−１〜８０−ｎは、例えば、受変電設備、空調設備などである。監視システム１を構成する各要素は、幹線ネットワーク９０で互いに接続されている。
【００１１】
監視制御処理サーバ１０は、監視システム１を構成する各要素と信号を送受信し、監視システム１全体を制御する。監視制御処理サーバ１０は、処理部１０１、記憶部１０２、通信部１０３を備える。処理部１０１は、監視制御処理サーバ１０を構成する各要素の動作を制御する。また、処理部１０１は、監視システム１全体を制御するための各種演算を実行する。記憶部１０２は、オペレーティングシステム及びアプリケーションプログラムを記憶する。さらに、記憶部１０２は、各種データを記憶する。通信部１０３は、監視制御処理サーバ１０と監視システム１を構成する他の各要素との間で信号を送受信する。
【００１２】
大型モニタ装置２０は、監視室内に配置され、監視制御対象設備８０−１〜８０−ｎの状態を表示する。例えば、大型モニタ装置２０は、監視制御対象設備８０−１〜８０−ｎの稼働状況を一元的に把握するための各種監視画面等を表示する。大型モニタ装置２０は、１以上の第１の大型モニタ２０−１〜第ｎの大型モニタ２０−ｎで構成される。大型モニタ装置２０は、例えば、８つの大型モニタで構成される。大型モニタ装置２０は、例えば、監視画面を複数の監視員が同時に見ることが可能な大きさで構成される。
【００１３】
大型モニタＯＮ／ＯＦＦ装置３０は、電源制御ケーブルを介して、大型モニタ装置２０を構成する第１の大型モニタ２０−１〜第ｎの大型モニタ２０−ｎそれぞれについて独立に電源のＯＮ／ＯＦＦを制御（以降、大型モニタＯＮ／ＯＦＦ制御という）する。大型モニタＯＮ／ＯＦＦ装置３０は、処理部３０１、記憶部３０２、通信部３０３を備える。処理部３０１は、大型モニタＯＮ／ＯＦＦ装置３０を構成する各要素の動作を制御する。記憶部３０２は、オペレーティングシステム及びアプリケーションプログラムを記憶する。さらに、記憶部３０２は、各種データを記憶する。通信部３０３は、大型モニタＯＮ／ＯＦＦ装置３０と監視システム１を構成する他の各要素との間で信号を送受信する。
【００１４】
大型モニタ表示処理装置４０は、映像表示ケーブルを介して、大型モニタ装置２０を構成する第１の大型モニタ２０−１〜第ｎの大型モニタ２０−ｎそれぞれに映像信号を送信する。例えば、大型モニタ表示処理装置４０は、監視制御対象設備８０−１〜８０−ｎの各種監視画面等を大型モニタ装置２０に表示するように処理する。大型モニタ表示処理装置４０は、処理部４０１、記憶部４０２、通信部４０３を備える。処理部４０１は、大型モニタ表示処理装置４０を構成する各要素の動作を制御する。記憶部４０２は、オペレーティングシステム及びアプリケーションプログラムを記憶する。さらに、記憶部４０２は、各種データを記憶する。通信部４０３は、大型モニタ表示処理装置４０と監視システム１を構成する他の各要素との間で信号を送受信する。
【００１５】
監視制御端末５０−１は、ＬＣＤ６０−１に対して、大型モニタ装置２０に表示される監視制御対象設備８０−１〜８０−ｎの各種監視画面等と同様の画面の表示を制御する。また、監視制御端末５０−１は、大型モニタＯＮ／ＯＦＦ制御用のパラメータを設定する画面（以降、パラメータ設定画面という）の表示を制御する。監視制御端末５０−１は、パラメータ設定画面での監視員によるパラメータ設定の入力を受け付ける。監視制御端末５０−１は、パラメータ設定の入力に基づいて、入力されたパラメータ設定に関する情報を監視制御処理サーバ１０へ送信する。パラメータ設定画面については、後述する。監視制御端末５０−１は、処理部５０１、記憶部５０２、入力部５０３、通信部５０４を備える。処理部５０１は、監視制御端末５０−１を構成する各要素の動作を制御する。記憶部５０２は、オペレーティングシステム及びアプリケーションプログラムを記憶する。さらに、記憶部５０２は、各種データを記憶する。入力部５０３は、ユーザが各種情報を入力するためのインターフェースである。通信部５０４は、監視制御端末５０−１と監視システム１を構成する他の各要素との間で信号を送受信する。監視制御端末５０−ｎは、監視制御端末５０−１と同様に構成されているため、説明を省略する。以降、監視制御端末５０−１を例にして説明するが、他の監視制御装置であっても同様である。
【００１６】
監視制御子局７０−１は、監視制御対象設備８０−１の状態を監視するための装置である。監視制御子局７０−１は、監視制御対象設備８０−１との間で各種信号を送受信する。例えば、監視制御子局７０−１は、監視制御対象設備８０−１から監視制御対象設備８０−１の故障発生、故障発生個所、故障内容などに関する情報（以降、故障警報という）を含む信号を受信する。監視制御子局７０−１は、処理部７０１、記憶部７０２、第１の通信部７０３、第２の通信部７０４を備える。処理部７０１は、監視制御子局７０−１を構成する各要素の動作を制御する。記憶部７０２は、オペレーティングシステム及びアプリケーションプログラムを記憶する。さらに、記憶部７０２は、各種データを記憶する。第１の通信部７０３は、監視制御子局７０−１と監視システム１を構成する他の各要素との間で信号を送受信する。第２の通信部７０４は、監視制御対象設備８０−１との間で信号を送受信する。
【００１７】
監視制御子局７０−２〜７０−ｎは、監視制御対象設備８０−２〜８０−ｎそれぞれの状態を監視するための装置である。監視制御子局７０−２〜７０−ｎは、監視制御子局５０−１と同様に構成されているため、説明を省略する。以降、監視制御子局７０−１を例として説明するが、他の監視制御子局であっても同様である。
【００１８】
図２は、監視制御処理サーバ１０における処理部１０１の一例となる機能ブロック図である。処理部１０１は、大型モニタＯＮ／ＯＦＦ制御用パラメータ保持部１０１１、大型モニタＯＮ／ＯＦＦ制御処理部１０１２、大型モニタＯＮ／ＯＦＦ装置伝送処理部１０１３を備える。大型モニタＯＮ／ＯＦＦ制御用パラメータ保持部１０１１は、監視制御端末５０−１から受信した大型モニタＯＮ／ＯＦＦ制御用のパラメータを記憶部１０２に保存する。大型モニタＯＮ／ＯＦＦ制御処理部１０１２は、監視制御端末５０−１で入力された大型モニタＯＮ／ＯＦＦ制御用のパラメータに基づいて、大型モニタＯＮ／ＯＦＦ装置３０に対する制御指令を生成する。大型モニタＯＮ／ＯＦＦ装置伝送処理部１０１３は、大型モニタＯＮ／ＯＦＦ装置３０に対して、制御指令を送信処理する。
【００１９】
図３は、大型モニタＯＮ／ＯＦＦ装置３０における処理部３０１の機能ブロック図である。処理部３０１は、大型モニタ制御出力部３０１１、監視制御処理サーバ伝送処理部３０１２を備える。
【００２０】
大型モニタ制御出力部３０１１は、監視制御処理サーバ１０からの制御指令に基づいて、大型モニタＯＮ／ＯＦＦ制御を処理する。大型モニタ制御出力部３０１１は、大型モニタ装置２０側の対応状況により複数の制御方法で大型モニタＯＮ／ＯＦＦ制御を処理する。例えば、大型モニタ制御出力部３０１１は、外部接点入出力による電源コントロール、ＬＡＮ通信による電源コントロール、各モニタ電源供給元にスイッチ（内部スイッチ）を入れての電源コントロールなどを実行できる。監視制御処理サーバ伝送処理部３０１２は、監視制御処理サーバ１０から制御指令を受信処理する。
【００２１】
図４は、ＬＣＤ６０−１に表示されるパラメータ設定画面図である。各パラメータは、監視制御端末５０−１での監視員による入力に基づいて設定される。パラメータ設定画面は、運用モードの選択項目、スケジュール制御の選択項目、スケジュール制御に関連するＯＦＦ時間の設定項目、デマンド制御の選択項目、警報連動ＯＮ制御の選択項目、軽故障連動の選択項目、警報確認後待ち時間の設定項目を含む。
【００２２】
運用モードの選択項目は、監視制御処理サーバ１０の運用モードを選択可能な項目である。運用モードは、常時ＯＮモード、省エネモード、常時ＯＦＦモードである。常時ＯＮモードは、大型モニタ装置２０の電源を常時ＯＮに設定するモードである。省エネモードは、大型モニタ装置２０の電源のＯＮ／ＯＦＦを所定条件に基づいて適宜切り替えるモードである。省エネモードにおける監視制御処理サーバ１０の動作は、後述する。常時ＯＦＦモードは、大型モニタ装置２０の電源を常時ＯＦＦに設定するモードである。
【００２３】
スケジュール制御の選択項目は、ＯＦＦ時間の設定項目で設定した時間帯に大型モニタ装置２０の電源をＯＦＦに設定する制御を有効または無効の何れかに設定する項目である。  
デマンド制御の選択項目は、電力制御の各種デマンドに基づいて大型モニタ装置２０の電源をＯＦＦに設定する制御を有効または無効の何れかに設定する項目である。デマンドは、例えば、監視システム１の受電電力量が電力会社との契約電力量を超過する恐れがある際に使用電力の抑制を促す要求である。
【００２４】
警報連動ＯＮ制御の選択項目は、監視制御対象設備８０−１〜８０−ｎのうちの少なくとも１つについての故障警報に連動して大型モニタ装置２０の電源をＯＦＦからＯＮに切り替える設定を有効または無効の何れかに設定する項目である。
【００２５】
軽故障連動の選択項目は、警報連動ＯＮ制御の選択項目が有効に設定されている場合のさらなる選択項目である。軽故障連動の選択項目は、監視制御対象設備８０−１〜８０−ｎのうちの少なくとも１つからの故障警報が軽故障警報である場合に、この軽故障警報に連動して大型モニタ装置２０の電源をＯＮに設定する制御を有効または無効の何れかに設定する項目である。
【００２６】
警報確認後待ち時間の設定項目は、警報連動ＯＮ制御の選択項目が有効に設定されている場合のさらなる選択項目である。監視制御対象設備８０−１〜８０−ｎのうちの少なくとも１つからの故障警報を監視員が確認したことを監視制御処理サーバ１０が検出した後からの待ち時間であって、大型モニタ装置２０の電源をＯＮからＯＦＦに切り替えるまでの時間を設定する項目である。
【００２７】
図５は、監視制御処理サーバ１０における処理を説明するフローチャートである。監視制御処理サーバ１０（処理部１０１）は、記憶部１０２に保存されている大型モニタＯＮ／ＯＦＦ制御用のパラメータを参照して、図５に示すフローチャートを処理する。  
処理部１０１は、運用モードとしてどのモードが選択されているか判断する（Ｂｌｏｃｋ１００１）。Ｂｌｏｃｋ１００１で常時ＯＮモードが選択されている場合、処理部１０１は、大型モニタ装置２０の電源が現在ＯＮに設定されているか否かを判断する（Ｂｌｏｃｋ１００２）。大型モニタ装置２０の電源が現在ＯＮに設定されている場合（Ｂｌｏｃｋ１００２、Ｙｅｓ）、処理部１０１は、運用モードが変更されるまで大型モニタ装置２０の電源がＯＮに設定された状態を維持する。処理部１０１は、Ｂｌｏｃｋ１００１に戻り、運用モードが変更された時にＢｌｏｃｋ１００１を処理する。大型モニタ装置２０の電源が現在ＯＮに設定されていない場合（Ｂｌｏｃｋ１００２、Ｎｏ）、処理部１０１は、大型モニタ装置２０の電源をＯＮに設定する制御指令を生成し、制御指令を大型モニタＯＮ／ＯＦＦ装置３０に送信する（Ｂｌｏｃｋ１００３）。大型モニタＯＮ／ＯＦＦ装置３０は、受信した制御指令に基づいて、第１の大型モニタ２０−１〜第ｎの大型モニタ２０−ｎそれぞれの電源をＯＮに設定するように制御する。なお、処理部１０１は、運用モードが変更されるまで大型モニタ装置２０の電源がＯＮに設定された状態を維持する。処理部１０１は、Ｂｌｏｃｋ１００１に戻り、運用モードが変更された時にＢｌｏｃｋ１００１を処理する。
【００２８】
Ｂｌｏｃｋ１００１で常時ＯＦＦモードが選択されている場合、処理部１０１は、大型モニタ装置２０の電源が現在ＯＦＦに設定されているか否かを判断する（Ｂｌｏｃｋ１０１８）。大型モニタ装置２０の電源が現在ＯＦＦに設定されている場合（Ｂｌｏｃｋ１０１８、Ｙｅｓ）、処理部１０１は、運用モードが変更されるまで大型モニタ装置２０の電源がＯＦＦに設定された状態を維持する。処理部１０１は、Ｂｌｏｃｋ１００１に戻り、運用モードが変更された時にＢｌｏｃｋ１００１を処理する。大型モニタ装置２０の電源が現在ＯＦＦに設定されていない場合（Ｂｌｏｃｋ１０１８、Ｎｏ）、処理部１０１は、大型モニタ装置２０の電源をＯＦＦに設定する制御指令を生成し、この制御指令を大型モニタＯＮ／ＯＦＦ装置３０に送信する（Ｂｌｏｃｋ１０１９）。大型モニタＯＮ／ＯＦＦ装置３０は、受信した制御指令に基づいて、大型モニタ装置２０を構成する第１の大型モニタ２０−１〜第ｎの大型モニタ２０−ｎそれぞれの電源をＯＦＦに設定するように制御する。なお、処理部１０１は、運用モードが変更されるまで大型モニタ装置２０の電源がＯＦＦに設定された状態を維持する。処理部１０１は、Ｂｌｏｃｋ１００１に戻り、運用モードが変更された時にＢｌｏｃｋ１００１を処理する。
【００２９】
Ｂｌｏｃｋ１００１で運用モードとして省エネモードが選択されている場合、処理部１０１は、スケジュール制御モードの有効または無効の何れが選択されているかを判断する（Ｂｌｏｃｋ１００４）。Ｂｌｏｃｋ１００４でスケジュール制御モードの有効が選択されている場合、処理部１０１は、現在時刻がスケジュール制御強制ＯＦＦ時間帯（運用時間帯）内か否かを判断する（Ｂｌｏｃｋ１００５）。現在時刻がスケジュール制御強制ＯＦＦ時間帯内である場合（Ｂｌｏｃｋ１００５、Ｙｅｓ）、処理部１０１は、Ｂｌｏｃｋ１０１８、Ｂｌｏｃｋ１０１９を上記同様に処理する。なお、省エネモード中のＢｌｏｃｋ１０１８、Ｂｌｏｃｋ１０１９の処理では、処理部１０１は、大型モニタ装置２０の電源をＯＦＦにするように制御する代わりに、第１の大型モニタ２０−１〜第ｎの大型モニタ２０−ｎの少なくとも１つの電源をＯＦＦからＯＮに切り替えるように制御するようにしてもよい。その後、処理部１０１は、Ｂｌｏｃｋ１００１に戻り、運用モードとして省エネモードが選択されたままであれば、Ｂｌｏｃｋ１００４以降の処理を実行する。スケジュール制御モードは、例えば、監視室が夜間無人になる場合や、監視員が夜間の運用モードを常時ＯＦＦモードに設定せずに帰ってしまった場合など、大型モニタ装置２０の電源が不必要にＯＮに設定された状態で維持されることを抑制するなどの効果を得られる。
【００３０】
Ｂｌｏｃｋ１００４でスケジュール制御モードの無効が選択されている場合、または現在時刻がスケジュール制御強制ＯＦＦ時間帯内にない場合（Ｂｌｏｃｋ１００５、Ｎｏ）、処理部１０１は、デマンド制御モードの有効または無効の何れが選択されているかを判断する（Ｂｌｏｃｋ１００６）。  
Ｂｌｏｃｋ１００６でデマンド制御モードの有効が選択されている場合、処理部１０１は、デマンド制御要求があるか否かを判断する（Ｂｌｏｃｋ１００７）。例えば、デマンド制御要求は、監視制御対象設備８０−１〜８０−ｎのうちのいずれかに受変電設備が存在する場合、受変電設備によって生成され、受変電設備から監視制御処理サーバ１０に送信される。受変電設備は、電力会社またはスマートグリッド（事業者）からの受電電力量を計測し、受電電力量が電力会社との契約電力量を超過する恐れがある際にデマンド警報を鳴動させる。この際、受変電設備は、デマンド制御要求として、大型モニタ装置２０の電源をＯＦＦに設定する要求を監視制御処理サーバ１０に送信する。なお、受変電設備がデマンド制御の監視する以外にも、受変電設備を監視する別要素としての監視設備がデマンド制御を監視するようにしてもよい。この場合、監視設備は、デマンド制御要求として、大型モニタ装置２０の電源をＯＦＦに設定する要求を監視制御処理サーバ１０に送信する。別の例として、デマンド制御要求は、監視制御処理サーバ１０が電力会社またはスマートグリッドから受信してもよい。さらに別の例として、デマンド制御要求は、監視制御処理サーバ１０による演算により生成してもよい。監視制御処理サーバ１０は、受変電設備が計測する受電電力量を受信し、受電電力量が電力会社との契約電力量を超過する恐れがある際にデマンド制御要求を生成する。デマンド制御モードは、受電電力量が電力会社との契約電力量を超過することを抑制するなどの効果を得られる。
【００３１】
デマンド制御要求がある場合（Ｂｌｏｃｋ１００７、Ｙｅｓ）、処理部１０１は、Ｂｌｏｃｋ１０１８、Ｂｌｏｃｋ１０１９を上記同様に処理する。その後、処理部１０１は、Ｂｌｏｃｋ１００１に戻り、運用モードが変更された時にＢｌｏｃｋ１００１を処理する。なお、処理部１０１は、運用モードとして省エネモードが選択されたままであれば、Ｂｌｏｃｋ１００４以降の処理を実行する。
【００３２】
Ｂｌｏｃｋ１００６でデマンド制御モードの無効が選択されている場合、またはデマンド制御要求がない場合（Ｂｌｏｃｋ１００７、Ｎｏ）、処理部１０１は、警報連動ＯＮ制御モードの有効または無効の何れが選択されているかを判断する（Ｂｌｏｃｋ１００８）。Ｂｌｏｃｋ１００８で警報連動ＯＮ制御モードの無効が設定されている場合、処理部１０１は、Ｂｌｏｃｋ１００１に戻り、運用モードが変更された時にＢｌｏｃｋ１００１を処理する。なお、処理部１０１は、運用モードとして省エネモードが選択されたままであれば、Ｂｌｏｃｋ１００４以降の処理を実行する。
【００３３】
Ｂｌｏｃｋ１００８で警報連動ＯＮ制御モードの有効が設定されている場合、処理部１０１は、軽故障連動が有効に設定されているかを判断する（Ｂｌｏｃｋ１００９）。軽故障連動が有効に設定されていない場合（Ｂｌｏｃｋ１００９、Ｎｏ）、処理部１０１は、重故障新規未確認警報があるか否かを判断する（Ｂｌｏｃｋ１０１０）。重故障新規未確認警報は、故障警報のうち、監視制御処理サーバ１０が新規に受信し、重故障警報であると判断し、未確認警報と判断している故障警報である。Ｂｌｏｃｋ１０１０では、処理部１０１は、例えば、以下のように故障警報が重故障新規未確認警報であるか否かを判断する。監視制御処理サーバ１０は、例えば、故障の内容に応じて、故障警報を複数のレベル、例えば、重故障／軽故障の２レベルの何れに該当するのかを判断する。なお、故障警報が重故障／軽故障の何れに該当するかは、予め設定されている。さらに、監視制御処理サーバ１０は、監視制御子局７０−１〜７０−ｎの何れかから故障警報を受信すると、この故障警報の表示指令を大型モニタ表示処理装置４０及び監視制御端末５０−１に送信する。大型モニタ表示処理装置４０は、故障警報に基づいて、予め登録された監視画面を自動的に大型モニタ装置２０に表示するように処理する。この時、大型モニタ表示処理装置４０は、大型モニタ装置２０に表示される監視画面において、故障対象に対応する表示シンボルを色換えすると同時にフリッカ（点滅）表示するように処理する。なお、監視制御端末５０−１も同様に、ＬＣＤ６０−１に表示される監視画面において、故障対象に対応する表示シンボルを色換えすると同時にフリッカ表示するように処理する。フリッカは、監視員に故障発生を注意喚起する。監視員は、入力部５０３にあるフリッカ停止ボタンを押すことでＬＣＤ６０−１に表示されているフリッカを停止できる。監視制御端末５０−１は、フリッカの表示停止の入力に基づいて、フリッカの表示停止情報を監視制御処理サーバ１０に送信する。監視制御処理サーバ１０は、受信したフリッカの表示停止情報に基づいて、フリッカの表示停止指令を大型モニタ表示処理装置４０に送信する。大型モニタ表示処理装置４０は、監視制御処理サーバ１０から受信したフリッカの表示停止指令に基づいて、大型モニタ装置２０に表示されているフリッカを停止するように処理する。監視制御処理サーバ１０は、大型モニタ装置２０またはＬＣＤ６０−１にフリッカの表示が開始されてから、フリッカの表示が停止されるまでの間、監視制御子局７０−１〜７０−ｎの何れかから受信した故障警報を未確認警報として扱う。以上のように、処理部１０１は、故障警報のうち、新規に受信し、重故障警報であると判断し、さらに、未確認警報と判断している故障警報を重故障新規未確認警報であると判断する。
【００３４】
重故障新規未確認警報がない場合（Ｂｌｏｃｋ１０１０、Ｎｏ）、処理部１０１は、タイマーの残り時間があるか否かを判断する（Ｂｌｏｃｋ１０１１）。処理部１０１は、故障警報を検出した時にタイマーを起動し、警報確認後待ち時間をカウントする。一般的に、大型モニタ装置２０は、監視員が監視対象設備の稼働状況を速やかに一元的に把握するために、監視制御処理サーバ１０が故障警報を検出してから、監視員が故障警報を大型モニタ装置２０またはＬＣＤ６０−１の監視画面上で確認するまでの間、故障警報を表示していればよい。そのため、監視制御処理サーバ１０は、タイマーを起動することで、監視員が故障警報を確認後、監視対象設備の復旧状況を大型モニタ装置２０にどれくらいの時間継続して表示するのかを適切に運用できる。
【００３５】
タイマーの残り時間がある場合（Ｂｌｏｃｋ１０１１、Ｙｅｓ）、処理部１０１は、Ｂｌｏｃｋ１００１を処理する。タイマーの残り時間がない場合（Ｂｌｏｃｋ１０１１、Ｎｏ）、処理部１０１は、Ｂｌｏｃｋ１０１８、Ｂｌｏｃｋ１０１９を上記同様に処理する。Ｂｌｏｃｋ１０１１においてタイマーの残り時間がない場合とは、処理部１０１が大型モニタ装置２０の電源をＯＮに設定する制御をした後であって、警報確認後待ち時間をカウントしている間に新たな重故障新規未確認警報を検出しなかった場合である。なお、処理部１０１は、運用モードとして省エネモードが選択されたままであれば、Ｂｌｏｃｋ１００４以降の処理を実行する。
【００３６】
重故障新規未確認警報がある場合（Ｂｌｏｃｋ１０１０、Ｙｒｓ）、処理部１０１は、大型モニタ装置２０の電源が現在ＯＮに設定されているか否かを判断する（Ｂｌｏｃｋ１０１５）。大型モニタ装置２０の電源が現在ＯＮに設定されていない場合（Ｂｌｏｃｋ１０１５、Ｎｏ）、処理部１０１は、大型モニタ装置２０の電源をＯＮに設定する制御指令を生成し、制御指令を大型モニタＯＮ／ＯＦＦ装置３０に送信する（Ｂｌｏｃｋ１０１６）。大型モニタＯＮ／ＯＦＦ装置３０は、受信した制御指令に基づいて、大型モニタ装置２０を構成する第１の大型モニタ２０−１〜第ｎの大型モニタ２０−ｎそれぞれの電源をＯＮに設定するように制御する。なお、処理部１０１は、大型モニタ装置２０全体としての使用を抑制するために、大型モニタ装置２０全体ではなく、故障警報に対応する監視対象設備を表示する大型モニタのみの電源をＯＮに設定するように処理してもよい。
【００３７】
大型モニタ装置２０の電源が現在ＯＮに設定されている場合（Ｂｌｏｃｋ１０１５、Ｙｅｓ）、または、Ｂｌｏｃｋ１０１６で処理部１０１が大型モニタ装置２０の電源をＯＮに設定する制御指令を生成した後、処理部１０１は、タイマーをセット、または再セットする（Ｂｌｏｃｋ１０１７）。つまり、Ｂｌｏｃｋ１０１７では、処理部１０１は、重故障新規未確認警報を検出する度に、タイマーをセットする。その後、処理部１０１は、Ｂｌｏｃｋ１００１に戻り、運用モードが変更された時にＢｌｏｃｋ１００１を処理する。なお、処理部１０１は、運用モードとして省エネモードが選択されたままであれば、Ｂｌｏｃｋ１００４以降の処理を実行する。
【００３８】
軽故障連動が有効に設定されている場合（Ｂｌｏｃｋ１００９、Ｙｅｓ）、処理部１０１は、重故障新規未確認警報があるか否かを判断する（Ｂｌｏｃｋ１０１２）。重故障新規未確認警報がある場合（Ｂｌｏｃｋ１０１２、Ｙｅｓ）、処理部１０１は、Ｂｌｏｃｋ１０１５を処理する。重故障新規未確認警報がない場合（Ｂｌｏｃｋ１０１２、Ｎｏ）、処理部１０１は、軽故障新規未確認警報があるか否かを判断する（Ｂｌｏｃｋ１０１３）。軽故障新規未確認警報は、故障警報のうち、監視制御処理サーバ１０が新規に受信し、軽故障警報であると判断し、さらに、未確認警報と判断している故障警報である。軽故障新規未確認警報がある場合（Ｂｌｏｃｋ１０１３、Ｙｅｓ）、処理部１０１は、Ｂｌｏｃｋ１０１５〜Ｂｌｏｃｋ１０１７を上記同様に処理する。つまり、Ｂｌｏｃｋ１０１７では、処理部１０１は、軽故障新規未確認警報を検出する度に、タイマーをセットする。その後、処理部１０１は、Ｂｌｏｃｋ１００１に戻り、運用モードが変更された時にＢｌｏｃｋ１００１を処理する。なお、処理部１０１は、運用モードとして省エネモードが選択されたままであれば、Ｂｌｏｃｋ１００４以降の処理を実行する。
【００３９】
軽故障新規未確認警報がない場合（Ｂｌｏｃｋ１０１３、Ｎｏ）、処理部１０１は、タイマーの残り時間があるか否かを判断する（Ｂｌｏｃｋ１０１４）。タイマーの残り時間がある場合（Ｂｌｏｃｋ１０１４、Ｙｅｓ）、処理部１０１は、Ｂｌｏｃｋ１００１に戻り、運用モードが変更された時にＢｌｏｃｋ１００１を処理する。なお、処理部１０１は、運用モードとして省エネモードが選択されたままであれば、Ｂｌｏｃｋ１００４以降の処理を実行する。
【００４０】
タイマーの残り時間がない場合（Ｂｌｏｃｋ１０１４、Ｎｏ）、処理部１０１は、Ｂｌｏｃｋ１０１８、Ｂｌｏｃｋ１０１９を上記同様に処理する。Ｂｌｏｃｋ１０１４においてタイマーの残り時間がない場合とは、処理部１０１が大型モニタ装置２０の電源をＯＮに設定する制御をした後であって、警報確認後待ち時間をカウントしている間に新たな重故障新規未確認警報及び軽故障新規未確認警報を検出しなかった場合である。なお、処理部１０１は、運用モードとして省エネモードが選択されたままであれば、Ｂｌｏｃｋ１００４以降の処理を実行する。
【００４１】
図５を用いて上記説明したように、例えば、Ｂｌｏｃｋ１００８〜Ｂｌｏｃｋ１００１９によれば、処理部（表示制御部）１０１は、警報連動ＯＮ制御の設定がなされている場合、監視制御対象設備８０−１〜８０−ｎのうちの少なくとも１つの故障（上記説明した重故障新規未確認警報または軽故障新規未確認警報）の検出に基づいて、第１の大型モニタ２０−１〜第ｎの大型モニタ２０−ｎの少なくとも１つの電源をＯＦＦからＯＮに切り替えるように制御する。つまり、監視制御処理サーバ１０は、省エネモード時に故障警報の検出と連動して、大型モニタ装置２０の電源を自動的にＯＮ状態またはＯＦＦ状態に変更できる。
【００４２】
さらに、処理部１０１は、監視制御対象設備８０−１〜８０−ｎの故障（上記説明した故障警報）が未確認の重故障（重故障新規未確認警報）に該当すると判断した場合、第１の大型モニタ２０−１〜第ｎの大型モニタ２０−ｎの少なくとも１つの電源をＯＦＦからＯＮに切り替えるように制御する。一方、処理部１０１は、監視制御対象設備８０−１〜８０−ｎの故障（上記説明した故障警報）が未確認の重故障（重故障新規未確認警報）に該当しないと判断した場合、第１の大型モニタ２０−１〜第ｎの大型モニタ２０−ｎの少なくとも１つの電源をＯＦＦのまま維持するように制御する。つまり、監視制御処理サーバ１０は、省エネモード時に、故障警報のレベルに応じて、大型モニタ装置２０の電源を自動的にＯＮ状態にするか否かの切り替えを制御できる。
【００４３】
さらに、処理部１０１は、第１の大型モニタ２０−１〜第ｎの大型モニタ２０−ｎの少なくとも１つの電源をＯＦＦからＯＮに切り替えた後、所定時間（上記説明した警報確認後待ち時間）内に新たな故障（上記説明した重故障新規未確認警報または軽故障新規未確認警報）を検出しない場合、第１の大型モニタ２０−１〜第ｎの大型モニタ２０−ｎの少なくとも１つの電源をＯＮからＯＦＦに切り替えるように制御する。つまり、監視制御処理サーバ１０は、省エネモード時に、故障警報の検出と連動して、大型モニタ装置２０の電源を自動的にＯＮ状態にし、予め設定された警報確認後待ち時間経過後に大型モニタ装置２０の電源を自動的にＯＦＦ状態にできる。
【００４４】
さらに、処理部１０１は、例えば、Ｂｌｏｃｋ１００４、１００５、１０１８、１０１９によれば、警報連動ＯＮ制御モードにより第１の大型モニタ２０−１〜第ｎの大型モニタ２０−ｎの少なくとも１つの電源をＯＦＦからＯＮに切り替えた後であっても、現在時刻が予め設定された時間帯（スケジュール制御強制ＯＦＦ時間帯）内にある場合、第１の大型モニタ２０−１〜第ｎの大型モニタ２０−ｎの少なくとも１つの電源をＯＦＦにするように制御する。つまり、監視制御処理サーバ１０は、省エネモード時に大型モニタ装置２０の電源がＯＮ状態である場合に、予め設定されたスケジュール制御強制ＯＦＦ時間帯により、大型モニタ装置２０の電源を自動的に常時ＯＦＦ状態に変更できる。
【００４５】
さらに、処理部１０１は、例えば、Ｂｌｏｃｋ１００６、１００７、１０１８、１０１９によれば、警報連動ＯＮ制御モードにより第１の大型モニタ２０−１〜第ｎの大型モニタ２０−ｎの少なくとも１つの電源をＯＦＦからＯＮに切り替えた後であっても、電力制御のデマンド制御要求を検出した場合、第１の大型モニタ２０−１〜第ｎの大型モニタ２０−ｎの少なくとも１つの電源をＯＦＦにするように制御する。つまり、監視制御処理サーバ１０は、省エネモード時に大型モニタ装置２０の電源がＯＮ状態である場合に、デマンド制御要求の検出により、大型モニタ装置２０の電源を自動的に常時ＯＦＦ状態に変更できる。
【００４６】
以上より、本実施形態によれば、大型モニタ装置２０の消費電力低減、焼き付防止及びランプ寿命の長期化が可能となる。  
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１…監視システム、１０…監視制御処理サーバ、２０…大型モニタ装置、２０−１…第1の大型モニタ、２０−ｎ…第ｎの大型モニタ、３０…大型モニタＯＮ／ＯＦＦ装置、４０…大型モニタ表示処理装置、５０−１…監視制御端末、５０−ｎ…監視制御端末、６０−１…ＬＣＤ、６０−ｎ…ＬＣＤ、７０−１…監視制御子局、７０−２…監視制御子局、７０−ｎ…監視制御子局、８０−１…監視制御対象設備、８０−２…監視制御対象設備、８０−ｎ…監視制御対象設備、９０…幹線ネットワーク、１０１…処理部、１０２…記憶部、１０３…通信部、３０１…処理部、３０２…記憶部、３０３…通信部、４０１…処理部、４０２…記憶部、４０３…通信部、５０１…処理部、５０２…記憶部、５０３…入力部、５０４…通信部、７０１…処理部、７０２…記憶部、７０３…第１の通信部、７０４…第２の通信部、１０１１…大型モニタＯＮ／ＯＦＦ制御用パラメータ保持部、１０１２…大型モニタＯＮ／ＯＦＦ制御処理部、１０１３…大型モニタＯＮ／ＯＦＦ装置伝送処理部、３０１１…大型モニタ制御出力部、３０１２…監視制御処理サーバ伝送処理部。
【図１】
2014211762.tif 000003
【図２】
2014211762.tif 000004
【図３】
2014211762.tif 000005
【図４】
2014211762.tif 000006
【図５】
2014211762.tif 000007